(57)【要約】【課題】本体に設けられたベルトが経時使用によって消耗した場合、メーカー等の専門の業者に修理等依頼する必要がなく、ユーザーサイドで簡単に交換して使用を継続することのできる放射線防護衣を提供する。【解決手段】該放射線防護衣の内面側である、後身頃４のウェストラインの位置に、前身頃と後身頃の境界付近となる各脇部７ａ，７ｂにおいて両端部を縫い付けて固定した背面インナーベルト８と、背面インナーベルトの両端部を固定した各脇部７ａ，７ｂの近傍に設けたベルト被取付部９とを有する。さらに、長手方向の一方端部に、ベルト被取付部９に対し着脱自在な取付部１１を有し、該取付部を除く残余の適宜位置に、（ベルト同士を）互いに接続可能な接続部１１を有する、左右一対の帯状の前面インナーベルト１０ａ，１０ｂとを備える。【選択図】図１
0003155268.tif 000002
【実用新案登録請求の範囲】
【請求項１】
中央部で左右に分かれる前身頃と後身頃とアームホール部とを有するコート型の放射線防護衣において、
該放射線防護衣の外面側のベルト通しに通されたアウターベルトと、
該放射線防護衣の内面側である、後身頃のウェストラインの位置に、前身頃と後身頃の境界付近となる各脇部において両端部を縫い付けて固定した背面インナーベルトと、
前記放射線防護衣の内面側であって、前記背面インナーベルトの両端部を固定した各脇部の近傍に設けたベルト被取付部と、
長手方向の一方端部に、前記ベルト被取付部に対し着脱自在な取付部を有し、該取付部を除く残余の適宜位置に、互いに接続可能な接続部を有する、左右一対の帯状の前面インナーベルトと、
を備えたことを特徴とする、放射線防護衣。
【請求項２】
前身頃とアームホール部と、両肩部及び脇下部から肩胛骨部を覆う背面部と、さらに背面部からほぼ左右肩甲骨部の間で交叉した後それぞれ斜め下方に延びる左右一対の帯状部を有する、エプロン型の放射線防護衣において、
前記帯状部を、後身頃側で終止させて帯状部端部を形成し、この帯状部端部にベルト被取付部を設け、
長手方向の一方端部に、前記ベルト被取付部に対し着脱自在な取付部を有し、該取付部を除く残余の適宜位置に、互いに接続可能な接続部を有する、左右一対の帯状のベルトを設け、
該ベルトをウエストに巻き回して前面側で接続して使用するように構成したことを特徴とする、放射線防護衣。
【請求項３】
前記前面インナーベルトは、幅１０〜２０ｃｍの立体メッシュで形成されている請求項１に記載の放射線防護衣。
【請求項４】
前記ベルト被取付部は、矩形状片からなり、一つの縦辺部近傍において縦方向に前記各脇部に縫い付けて固定され、フラップ状に設けられている請求項１又は３に記載の放射線防護衣。
【請求項５】
前記ベルト被取付部、前記取付部及び前記接続部は、面ファスナーで形成されている請求項１〜４のいずれかに記載の放射線防護衣。
【請求項６】
前記ベルト被取付部及び前記取付部は、面ファスナーで形成され、
前記取付部は、前記前面インナーベルトの上辺部及び下辺部からそれぞれ張り出した拡張片部を有して形成され、該拡張片部を含む前記取付部が前記ベルト被取付部に対し着脱自在に取着される請求項１，３又は４に記載の放射線防護衣。
【考案の詳細な説明】
【技術分野】
【０００１】
本考案は、放射線防護衣、詳しくは、診療放射線従事者等が放射線防護のために着用する、放射線防護衣に関する。
【背景技術】
【０００２】
診療放射線従事者は、放射線被曝による身体への健康被害を避けるため、高い遮蔽性を有する鉛等を含有した塩化ビニル樹脂等の放射線遮へいシートを用いて製作された放射線防護衣を着用して作業を行っている。診療放射線従事者のみならず、受診者に同伴して放射線診療室に入る者も被曝を避けるため放射線防護衣を着用するケースは多い。
【０００３】
従来、この種の放射線防護衣として、コート型とエプロン型のものが知られている。
コート型のものとしては、図８，図９に示すものが知られている。この防護衣は、中央部で左右に分かれる前身頃２，３と後身頃４とアームホール部５とを有し、外面側にはベルト通しに通されたアウターベルト６を有し、内面側、後身頃４のウェストラインの位置に、前身頃と後身頃の境界付近となる各脇部７ａ，７ｂにおいて両端部を縫い付けて固定した背面インナーベルト８と、同脇部７ａ，７ｂにおいて縫い付けて固定した前面インナーベルトＢとを有してなる。
エプロン型のものとしては、図１０に示すものが知られている。この防護衣５０は、前身頃５１とアームホール部５２とを有し、さらに背面部５３は、両肩部及び脇下部から肩胛骨部を覆うとともに、ほぼ左右肩甲骨部の間で交叉した後それぞれ斜め下方に延びる左右一対の帯状部５５を有し、該帯状部５５をベルト部としてウエストに巻き回して前面側で互いに重ね合わせて（面ファスナーで）接続して使用するものである。
【０００４】
防護衣の着脱に際し、ベルト部分は当然、使用頻度が高く、消耗が激しい箇所であるところ、上記放射線防護衣にあって、コート型防護衣のアウターベルトは経時使用によって消耗した場合、ベルトのみの交換が可能である。しかし、コート型防護衣では前面インナーベルトＢ、エプロン型防護衣ではベルト部５５（帯状部）は、縫い付け固定されて本体と完全に一体化しているため、消耗した場合、これらのベルトは交換が簡単にできず、メーカー等の専門の業者に依頼して修理しなければならないという不都合がある。
【考案の概要】
【考案が解決しようとする課題】
【０００５】
本考案は、上記従来の放射線防護衣の不都合を解消すべく考案されたもので、本体に設けられたベルトが経時使用によって消耗した場合、メーカー等の専門の業者に修理等依頼する必要がなく、ユーザーサイドで簡単に交換して使用を継続することのできる放射線防護衣を提供することを目的とする。
【課題を解決するための手段】
【０００６】
（１）中央部で左右に分かれる前身頃と後身頃とアームホール部とを有するコート型の放射線防護衣において、
該放射線防護衣の外面側のベルト通しに通されたアウターベルトと、
該放射線防護衣の内面側である、後身頃のウェストラインの位置に、前身頃と後身頃の境界付近となる各脇部において両端部を縫い付けて固定した背面インナーベルトと、
前記放射線防護衣の内面側であって、前記背面インナーベルトの両端部を固定した各脇部の近傍に設けたベルト被取付部と、
長手方向の一方端部に、前記ベルト被取付部に対し着脱自在な取付部を有し、該取付部を除く残余の適宜位置に、（ベルト同士を）互いに接続可能な接続部を有する、左右一対の帯状の前面インナーベルトと、を備えたことを特徴とする。
（２）前身頃とアームホール部と、両肩部及び脇下部から肩胛骨部を覆う背面部と、さらに背面部からほぼ左右肩甲骨部の間で交叉した後それぞれ斜め下方に延びる左右一対の帯状部を有する、エプロン型の放射線防護衣において、
前記帯状部を、後身頃側で終止させて帯状部端部を形成し、この帯状部端部にベルト被取付部を設け、
長手方向の一方端部に、前記ベルト被取付部に対し着脱自在な取付部を有し、該取付部を除く残余の適宜位置に、（ベルト同士を）互いに接続可能な接続部を有する、左右一対の帯状のベルトを設け、
該ベルトをウエストに巻き回して前面側で（ベルト同士を）接続して使用するように構成したことを特徴とする。
（３）前記前面インナーベルトは、幅１０〜２０ｃｍの立体メッシュで形成されていることを特徴とする。
（４）前記ベルト被取付部は、矩形状片からなり、一つの縦辺部近傍において縦方向に前記各脇部に縫い付けて固定され、フラップ状に設けられていることを特徴とする。
（５）前記ベルト被取付部、前記取付部及び前記接続部は、面ファスナーで形成されていることを特徴とする。
（６）前記ベルト被取付部及び前記取付部は、面ファスナーで形成され、
前記取付部は、前記前面インナーベルトの上辺部及び下辺部よりもそれぞれ張り出した拡張片部を有して形成され、該拡張片部を含む前記取付部が前記ベルト被取付部に対し着脱自在に取着されることを特徴とする。
【考案の効果】
【０００７】
（１）前面インナーベルトは、防護衣本体に設けたベルト被取付部に対し着脱自在であるため、該ベルトを放射線防護衣の交換部品として構成することが可能となる。したがって、該ベルトが経時使用によって消耗した場合、メーカー等の専門の業者に修理等依頼する必要がなく、ベルトを取り寄せてユーザーサイドで簡単に交換して使用を継続することができ、取扱、コストその他きわめて有利である。
さらに、左右一対の内、一方のみを簡単に交換することが可能であるから、その効果はきわめて大きい。
しかも、左右一対の前面インナーベルトは、左右の各脇部のいずれにも着脱可能であるから、使用者の好みによって左右の配置を使い分けて使用する（右上とするか左上とするか等）ことができ、きわめて使い勝手がよいものである。
また、使用によって汗がしみたり、汚れた場合には、取り外して洗濯することができ、衛生的である。
（２）帯状のベルトは、防護衣本体の帯状部端部に設けたベルト被取付部に対し着脱自在であるため、該ベルトを放射線防護衣の交換部品として構成することが可能となる。したがって、該ベルトが経時使用によって消耗した場合、メーカー等の専門の業者に修理等依頼する必要がなく、ベルトを取り寄せてユーザーサイドで簡単に交換して使用を継続することができ、取扱、コストその他きわめて有利である。
さらに、左右一対の内、一方のみを簡単に交換することが可能であるから、その効果はきわめて大きい。
しかも、前記帯状のベルトは、左右の各脇部のいずれにも着脱可能であるから、使用者の好みによって左右の配置を使い分けて使用する（右上とするか左上とするか等）ことができ、きわめて使い勝手がよいものである。
また、使用によって汗がしみたり、汚れた場合には、取り外して洗濯することができ、衛生的である。
（３）従来のものは、前面インナーベルトは細幅の布帛であるのに対し、前面インナーベルトを、幅１０〜２０ｃｍの、通気性、弾力性に優れる立体メッシュで形成したので、腰部のみならず腹部が確実にホールドされ、かつ放射線防護衣の肩に掛かる重量が軽減され、軽やかな着心地が得られ、装着感、動作性ともにきわめて良好である。
（４）ベルト被取付部は、矩形状片からなり、一つの縦辺部近傍において縦方向に各脇部に縫い付けて固定され、フラップ状に設けられている構成により、使用者の身体にフィットして装着され、前面インナーベルトは前身頃の動きに追従して動いてしまうことがなく、防護衣の着脱もスムーズに行うことができる。
（５）ベルト被取付部、取付部及び接続部は、面ファスナーで形成されているため、着脱が簡便かつ確実である。細幅の布帛をバックルで接続する従来品の前面インナーベルトと比べて格段に良好な装着感が得られる。
（６）ベルト被取付部及び取付部は、面ファスナーで形成され、取付部は、前面インナーベルトの上辺部及び下辺部よりもそれぞれ張り出した拡張片部を有して形成され、該拡張片部を含む取付部がベルト被取付部に対し着脱自在に取着されるため、着用の際、前面インナーベルトに対して縦方向に引っ張る力が加わった場合でも、それぞれ面ファスナーで形成された取付部とベルト被取付部とが外れ（剥がれ）にくく、前面インナーベルトがベルト被取付部から取れてしまう（脱落してしまう）ことを確実に防止することができる。
【図面の簡単な説明】
【０００８】
【図１】実施例１に係る放射線防護衣の使用状態を表す斜視図である。
【図２】前面インナーベルトの正面図である。
【図３】前面インナーベルトの変形例の正面図である。
【図４】前面インナーベルトの変形例の説明図である。
【図５】実施例１に係る放射線防護衣１の使用状態を表す斜視図である。
【図６】実施例２に係る放射線防護を示すもので、（ａ）は正面図、（ｂ）は背面図である。
【図７】帯状のベルトの正面図である。
【図８】従来の放射線防護衣の斜視図である。
【図９】従来の放射線防護衣の前身頃を開いた状態の斜視図である。
【図１０】従来の放射線防護衣の、（ａ）は正面図、（ｂ）は背面図である。
【考案を実施するための形態】
【０００９】
以下、本考案を実施するための形態を図面に基いて説明する。
【実施例１】
【００１０】
図１、図５は実施例１に係る放射線防護衣１の使用状態を表す斜視図である。
各図は、コート型の放射線防護衣１を示すもので、前身頃を開いた状態の斜視図であり、図１は前面インナーベルトを外した状態、図５は前面インナーベルトを取り付けて巻き回した状態を示している。
着用時における外観は、背景技術の項で説明した図８に示すものと同様である。
放射線防護衣１は、中央部で左右に分かれる前身頃２，３と、後身頃４とアームホール部５とを有する。前身頃２，３及び後身頃４は、所定の放射線遮蔽性能を有する、鉛等を含有した塩化ビニル樹脂等の放射線遮へいシートで作られている。
首周り部を含む前身頃２，３、後身頃４及びアームホール部５の各縁部は、合成樹脂シート等の適宜素材を用いた縁取りテープによって、縫着等の手段で、補強を兼ねた縁取り処理がなされている。
前身頃２，３は、着用時における重なり部分に面ファスナーが設けられている（図示省略）。
放射線防護衣１の外面側には、ベルト通しに通されたアウターベルト６が設けられている（図８参照）。このアウターベルト６は、着用時における重なり部分において面ファスナーで接続してウエストに固定するものがよい。
後身頃４の内面には、例えばその上半身部分にメッシュ素材を付加することができる。
【００１１】
放射線防護衣１の内面側である、後身頃４のウェストラインの位置に、前身頃４と後身頃５の境界付近となる各脇部７ａ，７ｂにおいて両端部を縫い付けて固定した背面インナーベルト８が設けられている。背面インナーベルト８は、伸縮性を有する平ゴム布等が好適に用いられる。背面インナーベルト８には立体メッシュ等のメッシュ素材を着脱可能に巻き付けて設けることができる。
放射線防護衣１の内面側であって、背面インナーベルト８の両端部を固定した各脇部７ａ，７ｂの近傍には、ベルト被取付部９が設けられている。
図示の例では、ベルト被取付部９は、適宜布帛により形成された矩形状片からなり、図示のとおり、一つの縦辺部（後ろ側の辺部）近傍において縦方向に各脇部７ａ，７ｂに縫い付けて固定され、残りの３辺は固定されておらず、フラップ状に設けられている。
ベルト被取付部９の内面（着用時における身体側）には、面ファスナーが設けられており、該ベルト被取付部９に、次に述べる前面インナーベルト１０ａ，１０ｂが取り付けられる。
【００１２】
図１、図２に示すように、前面インナーベルト１０ａ，１０ｂは、左右一対の細長い帯状体からなり、それぞれ長手方向の一方端部に、ベルト被取付部９に対し着脱自在な取付部１１を有し、該取付部１１を除く残余の適宜位置に、（ベルト同士を）互いに接続可能な接続部１２を有している。各インナーベルト１０ａ，１０ｂは、基本的に同形状であり、長手方向を中心線として線対称である。
前面インナーベルト１０ａ，１０ｂは、好ましくは幅１０〜１８ｃｍの、抗菌加工された立体メッシュで形成される。通気性、弾力性に優れ、良好な装着感が得られる。縁部は縁取りテープ等で縁取り処理が施される。
前面インナーベルト１０ａ，１０ｂの取付部１１は、図示の例では、面ファスナーで形成されており、この取付部１１を、図１に矢印で示すように、前記ベルト被取付部９（面ファスナー）に着けて使用する。面ファスナーは面方向の引張力に対し強いので、着脱等の際に脱落するおそれはない。
前面インナーベルト１０ａ，１０ｂの接続部１２は、図示の例では、面ファスナーで形成されている。面ファスナーは立体メッシュの前面インナーベルト１０ａ，１０ｂの、長手方向の他方端部を含む適宜位置に縫い付けて固定することができる。この前面インナーベルト１０ａ，１０ｂを、図５に示すように、腹部にて互いに重ね合わせて面ファスナーで接続して固定する。左右の配置を逆にして防護衣に取り付ければ、重ね合わせ部分の上下関係を逆にすることができる。
【００１３】
図３に前面インナーベルト１０ａ，１０ｂの変形例を示す。この変形例に示すものは、図１、図２に示すものと同様、前面インナーベルトの取付部１１は、ベルト被取付部９（面ファスナー）に適合する大きさの矩形状に形成された面ファスナーをインナーベルト１０ａ，１０ｂの長手方向の一方端部に重ね合わせて縫い付けて固定したものである。
しかし、図１、図２に示すものと異なり、前面インナーベルトの取付部１１は、前面インナーベルト１０ａ，１０ｂの上辺部及び下辺部（帯状体のなす長手方向の上辺部及び下辺部）よりもそれぞれ上と下に張り出した拡張片部１１ａ，１１ｂ（高さｈで表示する部分）を有して形成されている。換言すると、各前面インナーベルト１０ａ，１０ｂの上下方向高さ（幅）は、取付部（全体）１１の高さよりも小さく、前面インナーベルト１０ａ，１０ｂの上辺部及び下辺部は、それぞれ取付部（全体）１１の高さ位置から拡張片部１１ａ，１１ｂの高さ（ｈ）分を差し引いた位置にあって、前面インナーベルト１０ａ，１０ｂは帯状に形成されている。
そして、該拡張片部１１ａ，１１ｂを含む取付部１１全体が全面的にベルト被取付部９に対し着脱自在に取着される。
上記の構成により、着用の際、図４に示すように、前面インナーベルト１０ａに水平方向のみならず、上下方向（縦方向。図４は上方向の例を示している。）の力を含む引張力Ｆが加わった場合（着用の際、そのような力が加わってしまうことがあり得る。一般にはさらに前面インナーベルトをやや捻るような力を含む形で表れることがある。）、その引張力Ｆは、前面インナーベルト１０ａの下辺部と拡張片部１１ｂとの交叉する角部近傍Ｐ１に作用する。これに対し、このような拡張片部１１ｂがない場合（図示の前面インナーベルト１０ａが幅広になっていて拡張片部が形成されていない場合）、その引張力Ｆは、拡張片部１１ｂの角部位置（取付部１１全体における角部）近傍Ｐ２に作用する。すなわち、拡張片部１１ｂを設けることによる力の作用点Ｐ１は、拡張片部１１ｂがない場合の作用点Ｐ２よりも取付部１１の中心側にあるため、取付部１１における力のモーメントは小さくなる。したがって、それぞれ面ファスナーで形成された取付部１１（拡張片部を含む。）とベルト被取付部９とが外れ（剥がれ）にくいものとなり、前面インナーベルト１０ａ，１０ｂがベルト被取付部９から取れてしまう（脱落してしまう）ことを、より確実に防止することができる。
着用の際、前面インナーベルト１０ａに、水平方向のみならず、下方向の引張力が加わった場合も拡張片部１１ａがあるため、上記と同様に、取付部１１（拡張片部を含む。）とベルト被取付部９とが外れにくい。
【実施例２】
【００１４】
図６は実施例２に係る放射線防護衣２１を示すもので、（ａ）は正面図、（ｂ）は背面図である。各図は、エプロン型の放射線防護衣２１を示すものである。
放射線防護衣２１は、前身頃２２とアームホール部２３とを有し、両肩部及び脇下部から肩胛骨部を覆う背面部２４ａ，２４ｂと、さらに背面部２４ａ，２４ｂからほぼ左右肩甲骨部の間で交叉した後それぞれ斜め下方に延びる左右一対の帯状部２５ａ，２５ｂを有している。
前身頃２２は、所定の放射線遮蔽性能を有する、鉛等を含有した塩化ビニル樹脂等の放射線遮へいシートで作られている。背面部２４ａ，２４ｂはメッシュ素材で構成することができる。
首周り部を含む前身頃２２、背面部２４ａ，２４ｂ、帯状部２５ａ，２５ｂの各縁部は、合成樹脂シート等の適宜素材を用いた縁取りテープによって、縫着等の手段で、補強を兼ねた縁取り処理がなされている。
前身頃２２の内面には、例えばその上半身部分にメッシュ素材を付加することができる。
【００１５】
上記帯状部２５ａ，２５ｂは、後身頃側で終止しており、帯状部端部２６ａ，２６ｂを形成している。この帯状部端部２６ａ，２６ｂには、ベルト被取付部２７ａ，２７ｂが設けられている。この例では、ベルト被取付部２７ａ，２７ｂは、面ファスナーによって形成されている。
【００１６】
そして、図７に示す左右一対の細長い帯状のベルト３０ａ，３０ｂは、その長手方向の一方端部に、上記ベルト被取付部２７ａ，２７ｂに対し着脱自在な取付部３１を有している。さらに、該取付部３１を除く残余の適宜位置に、（ベルト同士を）互いに接続可能な接続部３２を有している。各帯状のベルト３０ａ，３０ｂは、基本的に同形状であり、長手方向を中心線として線対称である。
帯状のベルト３０ａ，３０ｂは、合成樹脂シートあるいはメッシュ素材等で形成することができる。
帯状のベルト３０ａ，３０ｂの取付部３１は、図示の例では、面ファスナーで形成されており、この取付部３１を、図６（ｂ）に示すように、前記ベルト被取付部２７ａ，２７ｂ（面ファスナー）に着けて使用する。面ファスナーは面方向の引張力に対し強いので、着脱等の際に脱落するおそれはない。
帯状のベルト３０ａ，３０ｂの接続部３２は、図示の例では、面ファスナーで形成されている。面ファスナーは帯状のベルト３０ａ，３０ｂの、長手方向の他方端部を含む適宜位置に縫い付けて固定することができる。この帯状のベルト３０ａ，３０ｂを、図６（ａ）に示すように、ウエストに巻き回して腹部にて互いに重ね合わせて面ファスナーで接続して固定する。左右の配置を逆にして防護衣に取り付ければ、重ね合わせ部分の上下関係を逆にすることができる。
【符号の説明】
【００１７】
１  放射線防護衣
２，３  前身頃
４  後身頃
５  アームホール部
６  アウターベルト
７ａ，７ｂ  脇部
８  背面インナーベルト
９  ベルト被取付部
１０ａ，１０ｂ  インナーベルト
１１  取付部
１１ａ，１１ｂ  拡張片部
１２  接続部
２１  放射線防護衣
２２  前身頃
２３  アームホール部
２４ａ，２４ｂ  背面部
２５ａ，２５ｂ  帯状部
２６ａ，２６ｂ  帯状部端部
２７ａ，２７ｂ  ベルト被取付部
３０ａ，３０ｂ  ベルト
３１  取付部
３２  接続部
【図１】
0003155268.tif 000003
【図２】
0003155268.tif 000004
【図３】
0003155268.tif 000005
【図４】
0003155268.tif 000006
【図５】
0003155268.tif 000007
【図６】
0003155268.tif 000008
【図７】
0003155268.tif 000009
【図８】
0003155268.tif 000010
【図９】
0003155268.tif 000011
【図１０】
0003155268.tif 000012